(57)【特許請求の範囲】
【請求項１】
バーナの炎を囲う筒状の五徳と、炎により生じた熱気を強制的に吸引排気する排気手段とを備える炎漏出防止型コンロにおいて、五徳の上端面に、鍋の底面に線接触可能な周方向に延在する突条を設けるとともに、該突条の途中に切欠き部を形成することを特徴とする炎漏出防止型コンロ。
【請求項２】
前記突条の径方向内側に、前記切欠き部を通して前記五徳内に吸引される外気の流れを邪魔する突条を設けることを特徴とする請求項１に記載の炎漏出防止型コンロ。
【請求項３】
バーナの炎を囲う筒状の五徳と、炎により生じた熱気を強制的に吸引排気する排気手段とを備える炎漏出防止型コンロにおいて、五徳の上端面に、鍋の底面に点接触する突起を千鳥状に多数設けることを特徴とする炎漏出防止型コンロ。
【発明の詳細な説明】
【０００１】
【発明の属する技術分野】
本発明は、バーナの炎を囲う筒状の五徳と、炎により生じた熱気を強制的に吸引排気する排気手段とを備える炎漏出防止型コンロに関する。
【０００２】
【従来の技術】
通常のコンロでは爪付きの五徳を用いている。このようなコンロでは、バーナからの炎や炎により生じた熱気が五徳の爪部に載置する鍋の底面に沿って五徳の外側に放出され、熱気の一部が鍋の把手に達してこれを加熱し、把手が持ちづらくなるといった不具合を生ずる。
【０００３】
かかる不具合を解消するため、五徳を筒状に形成してバーナの炎を囲うと共に、炎により生じた熱気を強制的に吸引排気する排気手段を設けて、熱気が五徳の外側に漏出しないようにした炎漏出防止型コンロが考えられている。
【０００４】
【発明が解決しようとする課題】
上記の如き炎漏出防止型コンロでは、五徳の上端面を平坦面に形成して、鍋底を全周に亘って五徳の上端面に面接触させるようにしており、そのため、煮こぼれを生じた場合、五徳の上端面において五徳と鍋底とが煮こぼれ汁のこびり付きにより面接触状態で固着され、鍋を取り上げにくくなるといった不具合を生ずる。
本発明は、かかる不具合を解消した炎漏出防止型コンロを提供することを課題としている。
【０００５】
【課題を解決するための手段】
上記課題を解決すべく、本発明は、バーナの炎を囲う筒状の五徳と、炎により生じた熱気を強制的に吸引排気する排気手段とを備える炎漏出防止型コンロにおいて、五徳の上端面に、鍋の底面に線接触可能な周方向に延在する突条を設けるとともに、該突条の途中に切欠き部を形成することを特徴とする。
【０００６】
これによれば、五徳の上端面で煮こぼれ汁がこびり付いても、五徳と鍋底とは突条において線接触状態で固着されるだけであるため固着力が弱く、鍋を容易に取り上げることができる。
【０００７】
この場合、前記突条の途中に切欠き部を形成しておけば、切欠き部では五徳と鍋底とが固着しないため、鍋を取り上げる際に切欠き部を起点にして突条と鍋底との間の固着部が剥離されるようになり、鍋を一層容易に取り上げることができる。
【０００８】
尚、切り欠き部を形成すると、排気手段の吸引力により外気が切欠き部を通して五徳内に吸引されるようになる。この場合、前記突条の径方向内側に、前記切欠き部を通して前記五徳内に吸引される外気の流れを邪魔する突条を設ければ、五徳内への外気の流入を抑制して加熱効率の低下を防止でき、有利である。
【０００９】
また、五徳の上端面に、上記の如き突条に代えて、鍋の底面に点接触する突起を千鳥状に多数設けても良い。このものでも、鍋を容易に取り上げられると共に、突起の千鳥状配置によって外気の流入が抑制される。
【００１０】
【発明の実施の形態】
図１を参照して、１はコンロ本体であり、コンロ本体１の上面の天板２に開設した開口２ａの周縁部上面に五徳３を載置すると共に、開口２ａの下方にのびる燃焼筐４を設けて、該燃焼筐４内にバーナ５を収納した。
【００１１】
バーナ５は、内周に炎孔５ａを有する内火式リングバーナで構成されており、燃焼筐４内に周囲の空隙４０を存して挿入される有底筒状の支持枠４１の上端にバーナ５を嵌着した。燃焼筐４の上端部には、バーナ５の炎孔５ａよりも少許内方まで張り出す張出部４２が設けられており、バーナ５の上面と張出部４２の下面との間に前記空隙４０に連なる二次空気通路４０ａを形成し、該通路４０ａと支持枠４１の底板部に開設した二次空気孔４１ａとから燃焼筐４内に燃焼用の二次空気を導入し得るようにした。
【００１２】
また、支持枠４１の底板部の中央に形成した開口４１ｂに遮熱筒４３を挿通し、該遮熱筒４３内に図外のばねで上方に付勢される感熱ヘッド４４を設け、五徳３に鍋Ｐを載置したとき、鍋底に感熱ヘッド４４を押接させ、鍋底の過熱を生じたとき、これを感熱ヘッド４４で検出してバーナ５を消火するようにした。図中５ｂはバーナ５用の点火プラグである。
【００１３】
前記五徳３は、バーナ５の炎Ｆを囲う、内外２重壁構造の筒状に形成されており、五徳３の内壁部下端を燃焼筐４の張出部４２の上面に着座させ、五徳３の外壁部下端に汁受部３０を一体に形成して、汁受部３０の外周縁部を天板２に着座させている。また、燃焼筐４の周壁部及び張出部４２を２重壁構造として、２重壁間の空間を、天板２の奥部に開設した排気口６ａに排気ファン７を介して連通する排気通路６に構成している。そして、五徳３の内周壁に排気窓３１を開設すると共に、張出部４２の上壁に、五徳３の中空空間と排気通路６とを連通する連通孔４２ａを開設し、炎Ｆにより生じた熱気が排気ファン７の作動により排気窓３１と五徳３の中空空間と連通孔４２ａと排気通路６とを介して排気口６ａに強制的に吸引排気されるようにした。
【００１４】
五徳３の上端面には、鍋Ｐの底面に線接触可能な周方向に延在する突条３２が設けられている。本実施形態では、五徳３の外周壁にテーパーを付けて、内周壁と外周壁との間の鋭角な屈曲部で突条３２を構成し、更に、図２に示す如く、屈曲部を周囲複数箇所で押し潰して、突条３２の途中に切欠き部３３を形成している。
【００１５】
この構成によれば、煮こぼれを生じても、煮こぼれ汁は五徳３の外周壁を伝って汁受部３０に流れ、五徳３の上端での煮こぼれ汁のこびり付きを生じにくくなる。また、五徳３の上端で煮こぼれ汁がこびり付いても、五徳３と鍋Ｐの底面とは突条３２において線接触状態で固着されるだけであるため、固着力が弱くなる。更に、五徳３と鍋底との全周に亘る固着が切欠き部３３によって阻止され、かくて、鍋Ｐを取り上げる際、切欠き部３３を起点にして突条３２と鍋底との間の固着部が剥離されるようになり、鍋Ｐを五徳３から容易に取り上げることができる。
【００１６】
尚、切欠き部３３を設けると、排気ファン７の吸引力により切欠き部３３を通して外気が五徳３の内方に流入し、加熱効率が低下するおそれがあるため、切欠き部３３の大きさや数を制限する必要がある。一方、鍋Ｐの取り上げを容易にするには、切欠き部３３の大きさや数を増すことが望まれる。
【００１７】
この場合、図３に示す如く、五徳３の上端面に、同心円状に多重、例えば、３重の突条３２1，３２2，３２3を、最外側の突条３２1の切欠き部３３1に中間の突条３２2が対向し、中間の突条３２2の切欠き部３３2に最内側の突条３２3が対向するように形成すれば、これら突条３２1，３２2，３２3に鍋底が接触した状態において、最外側の突条３２1の切欠き部３３1から吸引される外気の流通経路が迷路状になり、外気の流れが邪魔される。かくて、煮こぼれ汁のこびり付きが問題になる最外側の突条３２1の切欠き部３３1の大きさや数を増しても、外気の流入を抑制して加熱効率の低下を防止できる。尚、図３に示すものにおいては、中間の突条３２2や最内側の突条３２3にも夫々切欠き部３３2，３３3を形成しているが、これは、鍋径が小さくて鍋底が最外側の突条３２1や中間の突条３２2に接触しない場合における、中間の突条３２2や最内側の突条３２3での煮こぼれ汁のこびり付きによる鍋底の全周固着を防止するためである。最外側の突条３２1や中間の突条３２2が鍋底から外れる可能性がない場合には、中間の突条３２2や最内側の突条３２3を、切欠き部の無い、全周に亘って連続する突条に形成し、外気の流入を完全に遮断することも可能である。
尚、図３に示すものでは、突条を同心円状に多重に形成したが、突条を多重巻きの渦巻き状に形成しても良い。
【００１８】
また、図４に示す如く、五徳３の上端面に、鍋底に点接触可能な突起３４を多数形成しても、煮こぼれ汁のこびり付きによる五徳３と鍋底との固着力を弱めることができる。この場合、突起３４を千鳥状に配置して、外気の流入を抑制する。
【００１９】
また、図２の実施形態のように、五徳３に汁受部３０を一体成形すれば、汁受皿が不要になって部品点数を削減できると共に、清掃が容易になり、有利である。
【図面の簡単な説明】
【図１】  本発明に係るコンロの一例の截断側面図
【図２】  図１のコンロに設けた五徳の斜視図
【図３】  五徳の他の例を示す斜視図
【図４】  五徳の更に他の例を示す斜視図
【符号の説明】
３  五徳              ３２，３２1，３２2，３２3  突条
３３，３３1，３３2，３３3  切欠き部           ５   バーナ
７  排気ファン（排気手段）
【図１】
0003751355.tif 000002
【図２】
0003751355.tif 000003
【図３】
0003751355.tif 000004
【図４】
0003751355.tif 000005